(57)【要約】【課題】一人の乗員が着座するシートクッションおよびシートバックのメイン部が分割構成される車両用シートを提供することである。【解決手段】車両用シートは、シートクッションフレームと、シートバックフレームと、前記シートクッションフレームに取り付けられたシートクッションメイン部と、前記シートクッションメイン部の側部に配置され前記シートクッションフレームに取り付けられたシートクッションサイド部と、前記シートバックフレームに取り付けられたシートバックメイン部と、前記シートバックメイン部の側部に配置され前記シートバックフレームに取り付けられたシートバックサイド部と、を備える。ここで、前記シートクッションメイン部および前記シートバックメイン部はそれぞれ複数のセグメントで構成され、各セグメントはフォーム部を有し、前記フォーム部は他のセグメントのフォーム部とは分離されている。【選択図】図１
2020033005.tif 000002
【特許請求の範囲】
【請求項１】
シートクッションフレームと、
シートバックフレームと、
前記シートクッションフレームに取り付けられたシートクッションメイン部と、
前記シートクッションメイン部の側部に配置され前記シートクッションフレームに取り付けられたシートクッションサイド部と、
前記シートバックフレームに取り付けられたシートバックメイン部と、
前記シートバックメイン部の側部に配置され前記シートバックフレームに取り付けられたシートバックサイド部と、
を備え、
前記シートクッションメイン部および前記シートバックメイン部はそれぞれ複数のセグメントで構成され、
各セグメントはフォーム部を有し、
前記フォーム部は他のセグメントのフォーム部とは分離されている車両用シート。
【請求項２】
請求項１の車両用シートにおいて、
前記シートクッションメイン部は前部セグメントと中央部セグメントと後部セグメントとを備え、
前記シートバックメイン部は上部セグメントと中央部セグメントと下部セグメントとを備え、
前記シートクッションサイド部は左側セグメントと右側セグメントとを備え、
前記シートバックサイド部は左側セグメントと右側セグメントとを備える車両用シート。
【請求項３】
請求項２の車両用シートにおいて、さらに、
前記シートクッションフレームに固着された補助ブラケットと、
前記シートバックフレームに固着された補助ブラケットと、
を備え、
前記シートクッションサイド部の各セグメントは前記シートクッションフレームの前記補助ブラケットに取り付けられるハードパネルを有し、
前記シートバックサイド部の各セグメントは前記シートバックフレームの前記補助ブラケットに取り付けられるハードパネルを有する車両用シート。
【請求項４】
請求項３の車両用シートにおいて、さらに、
前記シートクッションサイド部の前記ハードパネルと前記シートクッションフレームの前記補助ブラケットとを固定するボルトおよびナットと、
前記シートバックサイド部の前記ハードパネルと前記シートバックフレームの前記補助ブラケットとを固定するボルトまたはスタッドおよびナットと、
を備える車両用シート。
【請求項５】
請求項２の車両用シートにおいて、さらに、
前記シートクッションフレームに固着されたシートクッションパンと、
前記シートクッションフレームに固着された補助ブラケットと、
を備え、
前記シートクッションメイン部は、前記シートクッションフレームの前記補助ブラケットまたは前記シートクッションパンに取り付けられるハードパネルを備える車両用シート。
【請求項６】
請求項５の車両用シートにおいて、さらに、
前記シートクッションメイン部の前記ハードパネルと前記シートクッションフレームの前記補助ブラケットとを固定するボルトおよびナットと、
前記シートクッションメイン部の前記ハードパネルと前記シートクッションパンとを固定するスタッドおよびナットと、
を備える車両用シート。
【請求項７】
請求項４の車両用シートにおいて、さらに、
前記シートクッションフレームに固着されたシートクッションパンと、
前記シートクッションフレームに固着された補助ブラケットと、
を備え、
前記シートクッションメイン部の各セグメントは、前記シートクッションフレームの前記補助ブラケットまたは前記シートクッションパンに取り付けられるハードパネルを備える車両用シート。
【請求項８】
請求項７の車両用シートにおいて、さらに、
前記シートクッションメイン部の前記ハードパネルと前記シートクッションフレームの前記補助ブラケットとを固定するボルトおよびナットと、
前記シートクッションメイン部の前記ハードパネルと前記シートクッションパンとを固定するボルトおよびナットと、
を備える車両用シート。
【請求項９】
請求項２の車両用シートにおいて、さらに、
前記シートバックフレームに固着された補助ブラケットと、
サスペンションマットと、
を備え、
前記シートバックメイン部の各セグメントは前記シートバックフレームの前記補助ブラケットまたは前記サスペンションマットに取り付けられるハードパネルを備える車両用シート。
【請求項１０】
請求項９の車両用シートにおいて、さらに、
前記シートバックメイン部の前記ハードパネルと前記シートバックフレームの前記補助ブラケットとを固定するボルトおよびナットと、
前記シートバックメイン部の前記ハードパネルと前記サスペンションマットとを固定するスタッドおよびナットと、
を備える車両用シート。
【請求項１１】
請求項２の車両用シートにおいて、さらに、
前記シートバックフレームに固着された補助ブラケットと、
前記シートバックフレームに固着された補助ワイヤと、
を備え、
前記シートバックメイン部の各セグメントは前記シートバックフレームの前記補助ブラケットまたは前記補助ワイヤに取り付けられるハードパネルを備える車両用シート。
【請求項１２】
請求項１１の車両用シートにおいて、
さらに、前記シートバックメイン部の前記ハードパネルと前記シートバックフレームの前記補助ブラケットとを固定するボルトおよびナットを備える車両用シート。
【請求項１３】
シートクッションフレームおよびシートバックフレームを備えるシートフレームを準備する工程と、
シートクッションの前部セグメント、中央部セグメント、後部セグメント、左側セグメントおよび右側セグメントを分離して準備する工程と、
シートバックの上部セグメント、中央部セグメント、下部セグメント、左側セグメントおよび右側セグメントを分離して準備する工程と、
前記シートクッションフレームに前記シートクッションの前記前部セグメント、前記中央部セグメント、前記後部セグメント、前記左側セグメントおよび前記右側セグメントを取り付ける工程と、
前記シートバックフレームに前記シートバックの前記上部セグメント、前記中央部セグメント、前記下部セグメント、前記左側セグメントおよび前記右側セグメントを取り付ける工程と、
を含み、
前記シートクッションの前記前部セグメント、前記中央部セグメント、前記後部セグメント、前記左側セグメントおよび前記右側セグメントの各セグメントは、着座者が当接するフォーム部を備え、
前記シートバックの前記上部セグメント、前記中央部セグメント、前記下部セグメント、前記左側セグメントおよび前記右側セグメントの各セグメントは、着座者が当接するフォーム部を備える車両用シートの製造方法。
【請求項１４】
請求項１３の車両用シートの製造方法において、
前記シートクッションの前記左側セグメントおよび前記右側セグメントの各セグメントは取付部を有し、前記シートクッションフレームにナットおよびボルトにより前記取付部が固定され、
前記シートバックの前記左側セグメントおよび前記右側セグメントの各セグメントは取付部を有し、前記シートバックフレームにナットおよびボルトまたはスタッドにより前記取付部が固定される車両用シートの製造方法。
【請求項１５】
請求項１３の車両用シートの製造方法において、
前記シートクッションの前記前部セグメント、前記中央部セグメントおよび前記後部セグメントの各セグメントは取付部を有し、前記シートクッションフレームに固着されたシートクッションパンおよび補助ブラケットにナットおよびボルトまたはスタッドにより前記取付部が固定される車両用シートの製造方法。
【請求項１６】
請求項１３の車両用シートの製造方法において、
前記シートバックの前記上部セグメント、前記中央部セグメントおよび前記下部セグメントの各セグメントは取付部を有し、前記シートバックフレームまたはクッションマットにナットおよびボルトまたはスタッドにより前記取付部が固定される車両用シートの製造方法。
【請求項１７】
請求項１３の車両用シートの製造方法において、
前記シートクッションの前記前部セグメント、前記中央部セグメントおよび前記後部セグメントの各セグメントは取付部を有し、前記シートクッションフレームに固着されたシートクッションパンまたは補助ブラケットにナットおよびボルトにより前記取付部が固定される車両用シートの製造方法。
【請求項１８】
請求項１３の車両用シートの製造方法において、
前記シートバックの前記上部セグメント、前記中央部セグメントおよび前記下部セグメントの各セグメントは取付部を有し、前記シートバックフレームまたは補助ワイヤにナットおよびボルトにより前記取付部が固定される車両用シートの製造方法。
【発明の詳細な説明】
【技術分野】
【０００１】
本開示は車両用シートに関し、例えば分割形成される車両用シートに適用可能である。
【背景技術】
【０００２】
車両用シートには、シートクッションおよびシートバックのメイン部とサイド部を分割形成し、シートフレ−ムに接合装着してシートが形成されるものがある（例えば、特開平８−２４０６８号公報）。
【先行技術文献】
【特許文献】
【０００３】
【特許文献１】特開平８−２４０６８号公報
【発明の概要】
【発明が解決しようとする課題】
【０００４】
本開示の課題は、一人の乗員が着座するシートクッションおよびシートバックのメイン部が分割構成される車両用シートを提供することである。
その他の課題と新規な特徴は、本開示の記述および添付図面から明らかになるであろう。
【課題を解決するための手段】
【０００５】
本開示のうち、代表的なものの概要を簡単に説明すれば、下記のとおりである。
すなわち、車両用シートは、シートクッションフレームと、シートバックフレームと、前記シートクッションフレームに取り付けられたシートクッションメイン部と、前記シートクッションメイン部の側部に配置され前記シートクッションフレームに取り付けられたシートクッションサイド部と、前記シートバックフレームに取り付けられたシートバックメイン部と、前記シートバックメイン部の側部に配置され前記シートバックフレームに取り付けられたシートバックサイド部と、を備える。ここで、前記シートクッションメイン部および前記シートバックメイン部はそれぞれ複数のセグメントで構成され、各セグメントはフォーム部を有し、前記フォーム部は他のセグメントのフォーム部とは分離されている。
【図面の簡単な説明】
【０００６】
【図１】図１は第一実施例の車両用シートを説明する図である。
【図２】図２は図１のシートフレームに一部のセグメントを取り付けた状態を示す図である。
【図３】図３は図２の右側のセグメントの構造を示す図である。
【図４】図４は図２のＡ−Ａ断面に対応する断面図である。
【図５】図５は第二実施例の車両用シートの左側面図である。
【図６】図６は図５の車両用シートのシートクッションの透視側面図である。
【図７】図７は図６のシートクッションのメイン部の側面図である。
【図８】図８は図５の車両用シートのシートクッションの上面図である。
【図９】図９は図８のＢ−Ｂ線における断面図である。
【図１０】図１０は図８のＣ−Ｃ線における断面図である。
【図１１】図１１は図５の車両用シートのシートバックの透視側面図である。
【図１２】図１２は図５の車両用シートのシートバックの正面図である。
【図１３】図１３は図１２のＤ−Ｄ線における断面図である。
【図１４】図１４は図１２のＥ−Ｅ線における断面図である。
【図１５】図１５は図１２のＦ−Ｆ線における断面図である。
【図１６】図１６は図１２のＧ−Ｇ線における断面図である。
【図１７】図１７は第三実施例の車両用シートの斜視図である。
【図１８】図１８は図１７の車両用シートのシートフレームの斜視図である。
【図１９】図１９は図１７の車両用シートのシートバックのセグメントの斜視図である。
【図２０】図２０は図１７の車両用シートのシートバックフレームの斜視図である。
【図２１Ａ】図２１Ａは図１７の車両用シートのシートバックのサイド部の右側のセグメントの斜視図である。
【図２１Ｂ】図２１Ｂは図２１Ａの右サイド部のハードパネルの斜視図である。
【図２２Ａ】図２２Ａは右側の補助ブラケットと右側のセグメントとの固定を説明する図である。
【図２２Ｂ】図２２Ｂは右側の補助ブラケットと右側のセグメントと上部セグメントの固定を説明する図である。
【図２２Ｃ】図２２Ｃは右側の補助ブラケットと右側のセグメントと中央部セグメントの固定を説明する図である。
【図２３Ａ】図２３Ａはシートバックの上部セグメントの前方側の斜視図である。
【図２３Ｂ】図２３Ｂはシートバックの上部セグメントの後方側の斜視図である。
【図２３Ｃ】図２３Ｃはシートバックの上部セグメントのハードパネルの後方側の斜視図である。
【図２４Ａ】図２４Ａはシートバックの中央部セグメントの前方側の斜視図である。
【図２４Ｂ】図２４Ｂはシートバックの中央部セグメントの後方側の斜視図である。
【図２５Ａ】図２５Ａはシートバックの下部セグメントの前方側の斜視図である。
【図２５Ｂ】図２５Ｂはシートバックの下部セグメントの後方側の斜視図である。
【図２６】図２６は下部セグメントのシートバックフレームへの取付けを説明する図である。
【図２７】図２７は図１７の車両用シートのシートクッションのセグメントの斜視図である。
【図２８】図２８は図１７の車両用シートのシートクッションフレームの斜視図である。
【図２９Ａ】図２９Ａは図１７の車両用シートのシートクッションのサイド部の右側のセグメントのハードパネルの斜視図である。
【図２９Ｂ】図２９Ｂは図１７の車両用シートのシートクッションのサイド部の左側のセグメントのハードパネルの斜視図である。
【図３０Ａ】図３０Ａは右側の補助ブラケットと右側のセグメントとの固定を説明する図である。
【図３０Ｂ】図３０Ｂは右側の補助ブラケットと右側のセグメントとの固定を説明する図である。
【図３０Ｃ】図３０Ｃは左側の補助ブラケットと左側のセグメントとの固定を説明する図である。
【図３１Ａ】図３１Ａはシートクッションの後部セグメントの前方側の斜視図である。
【図３１Ｂ】図３１Ｂはシートクッションの後部セグメントの後方側の斜視図である。
【図３２】図３２は後部セグメントのシートクッションフレームへの取付けを説明する図である。
【図３３Ａ】図３３Ａはシートクッションの中央部セグメントの前方側の斜視図である。
【図３３Ｂ】図３３Ｂはシートクッションの中央部セグメントの後方側の斜視図である。
【図３４】図３４は中央部セグメントのシートクッションフレームへの取付けを説明する図である。
【図３５】図３５は中央部セグメントと金属製パンとの固定を説明する図である。
【図３６Ａ】図３６Ａはシートクッションの前部セグメントの前方側の斜視図である。
【図３６Ｂ】図３６Ｂはシートクッションの前部セグメントのハードパネルの後方側の斜視図である。
【図３７】図３７は前部セグメントのシートクッションフレームへの取付けを説明する図である。
【図３８】図３８はチャイルドブースタセグメントの斜視図である。
【図３９】図３９はチャイルドブースタセグメントを組み込んだ車両用シートの斜視図である。
【発明を実施するための形態】
【０００７】
以下、代表的な実施例について、図面を用いて幾つか例示する。ただし、以下の説明において、同一構成要素には同一符号を付し繰り返しの説明を省略することがある。また、実施例の一部、および、複数の実施例の全部または一部が、技術的に矛盾しない範囲内において、適宜、複合的に適用され得る。なお、図面は説明をより明確にするため、実際の態様に比べ、各部の幅、厚さ、形状等について模式的に表される場合があるが、あくまで一例であって、本発明の解釈を限定するものではない。
【０００８】
なお、以下の説明では、車両用シートを搭載する車両が水平面上に置かれた場合を基準として、鉛直方向を上下方向（ＵＷ、ＤＷ）と定義する。また、前後方向（ＦＲ，ＲＲ）は車両の前後方向に一致するように、左右方向（幅方向）は車両の幅方向に一致するように、定義される。ＦＲは車両の前側方向であり、ＲＲは車両の後側方向である。また、車両用シートについて、車両の後から見て右側（ＲＨ）、左側（ＬＨ）と呼んで説明する。
【実施例１】
【０００９】
図１は第一実施例の車両用シートを説明する図である。図２は図１のシートフレームに一部のセグメントを取り付けた状態を示す図である。図３は図２の右側のセグメントの構造を示す図である。図４は図２のＡ−Ａ断面に対応する断面図である。
【００１０】
図１に示すように、シートフレーム１１は金属パイプ等で形成されたシートクッションフレーム１２と金属パイプ等で形成されたシートバックフレーム１３とを備える。シートバックフレーム１３には分割されたシートバック３１の各セグメントを取り付けるための補助フレーム１３ａ，１３ｂが固着されている。
【００１１】
シートクッション２１はメイン部２１Ｍとメイン部２１Ｍの両側に配置されるサイド部２１Ｓとで構成される。メイン部２１Ｍは後部セグメント２１ａ、中央部セグメント２１ｂおよび前部セグメント２１ｃで構成され、サイド部２１Ｓは左側のセグメント２１ｄおよび右側のセグメント２１ｅで構成される。シートバック３１はメイン部３１Ｍとメイン部３１Ｍの両側に配置されるサイド部３１Ｓとで構成される。メイン部３１Ｍは上部セグメント３１ａ、中央部セグメント３１ｂおよび下部セグメント３１ｃで構成され、サイド部３１Ｓは左側のセグメント３１ｄおよび右側のセグメント３１ｅで構成される。
【００１２】
シートクッションフレーム１２にシートクッション２１の分割された後部セグメント２１ａ、中央部セグメント２１ｂ、前部セグメント２１ｃ、左側のセグメント２１ｄおよび右側のセグメント２１ｅを取り付け、シートバックフレーム１３にシートバック３１の分割された上部セグメント３１ａ、中央部セグメント３１ｂ、下部セグメント３１ｃ、左側のセグメント３１ｄおよび右側のセグメント３１ｅを取り付け、シートバックフレーム１３にヘッドレスト４１を取り付けて車両用シート１を構成する。
【００１３】
後部セグメント２１ａ、中央部セグメント２１ｂ、前部セグメント２１ｃ、左側のセグメント２１ｄ、右側のセグメント２１ｅ、上部セグメント３１ａ、中央部セグメント３１ｂ、下部セグメント３１ｃ、左側のセグメント３１ｄ、右側のセグメント３１ｅおよびヘッドレスト４１は、それぞれウレタンフォームとトリムカバー等で構成されている。ウレタンフォームとトリムカバーとをフォーム部という。
【００１４】
図２に示すように、シートバック３１のサイド部３１Ｓの右側のセグメント３１ｅはシートフレーム１１のシートバックフレーム１３およびシートバックフレーム１３の左右を接続する補助フレーム１３ａ，１３ｂに取り付けられる。
【００１５】
図３に示すように、右側のセグメント３１ｅはサブフレーム３１ｅｇと取付部３１ｅｋとウレタンフォーム３１ｅｂとトリムカバー３１ｅｃとで構成される。サブフレーム３１ｅｇは縦サブフレーム部３１ｅｈおよび横サブフレーム部３１ｅｉ，３１ｅｊを有する。
【００１６】
図４に示すように、セグメント３１ｅは取付部３１ｅｋのスタッド３１ｅｌを補助フレーム１３ｂの取付部１５ｅのナット１５ｅａに挿入し、取付部３１ｅｋの他のスタッド（不図示）を補助フレーム１３ａの取付部のナット（不図示）に挿入してセグメント３１ｅをシートバックフレーム１３に取り付けられる。他のセグメントも同様にシートフレーム１１に取り付けられる。
【実施例２】
【００１７】
図５は第二実施例の車両用シートの左側面図である。図６は図５の車両用シートのシートクッションの透視側面図である。図７は図６のシートクッションのメイン部の側面図である。図８は図５の車両用シートのシートクッションの上面図である。図９は図８のＢ−Ｂ線における断面図である。図１０は図８のＣ−Ｃ線における断面図である。
【００１８】
図５に示すように、第二実施例の車両用シート１はシートクッション２１とシートバック３１とヘッドレスト４１とサイドカバー５１とバックボード６１とを備える。車両用シート１はシートクッションフレーム１２（図８参照）およびシートバックフレーム１３（図１２参照）を備える。
【００１９】
図６に示すように、シートクッション２１はメイン部２１Ｍとサイド部２１Ｓとで構成される。メイン部２１Ｍは後部セグメント２１ａ、中央部セグメント２１ｂ、前部セグメント２１ｃおよびプラスチック等で形成されるハードパネル２１ｆで構成され、サイド部２１Ｓは左側のセグメント２１ｄおよび右側のセグメント２１ｅで構成される。
【００２０】
図７に示すように、中央部セグメント２１ｂと前部セグメント２１ｃはナイロンで作られた互いに付着するパイル状織物２１ｇ１とフック状織物２１ｇ２で作られた接着布２１ｇで固定される。なお、ナイロン製の接着布２１ｇは主に中央部セグメント２１ｂと前部セグメント２１ｃ間の一体感向上を促し乗心地向上の目的のために必要に応じ設定するので、中央部セグメント２１ｂと前部セグメント２１ｃをナイロン製の接着布２１ｇで互いに固定しなくてもよい。後部セグメント２１ａと中央部セグメント２１ｂも同様に固定される。後部セグメント２１ａ、中央部セグメント２１ｂおよび前部セグメント２１ｃはハードパネル２１ｆに装着される。
【００２１】
図８に示すように、シートクッションフレーム１２には複数の孔１２ａｈを有する金属製パン１２ａが固着されている。メイン部２１Ｍの後部セグメント２１ａ、中央部セグメント２１ｂおよび前部セグメント２１ｃはハードパネル２１ｆを介してシートクッションフレーム１２および金属製パン１２ａに取り付けられる。サイド部２１Ｓのセグメント２１ｄおよびセグメント２１ｅはシートクッションフレーム１２に取り付けられる。
【００２２】
図９に示すように、シートクッションフレーム１２には後部セグメント２１ａのハードパネル２１ｆを取り付けるための補助ブラケット１４ａが固着されており、補助ブラケット１４ａに固着されたナット１４ａａとボルト１４ａｂによってハードパネル２１ｆはシートクッションフレーム１２に固定される。後部セグメント２１ａはウレタンフォーム２１ａｂとトリムカバー２１ａｃで形成されている。ウレタンフォームとトリムカバーとをフォーム部という。前部セグメント２１ｃは後部セグメント２１ａと同様な構造である。
【００２３】
図１０に示すように、ハードパネル２１ｆはプラスチックスタッド２１ｆａを有し、プラスチックスタッド２１ｆａとスピードナット２１ｆｂによりハードパネル２１ｆは金属製パン１２ａに固定される。メイン部２１Ｍの中央部セグメント２１ｂはウレタンフォーム２１ｂｂとトリムカバー２１ｂｃで形成されている。
【００２４】
図１０に示すように、サイド部２１Ｓの左側のセグメント２１ｄはプラスチックまたは金属のハードパネル２１ｄａとウレタンフォーム２１ｄｂとトリムカバー２１ｄｃで形成されている。シートクッションフレーム１２には左側のセグメント２１ｄのハードパネル２１ｄａを取り付けるための補助ブラケット１２ｃが固着されており、補助ブラケット１２ｃに固着されたナット１２ｃａとボルト１２ｃｂによってハードパネル２１ｄａはシートクッションフレーム１２に固定される。右側のセグメント２１ｅは左側のセグメント２１ｄと同様な構造であり、同様にシートクッションフレーム１２に取り付けられる。
【００２５】
図１１は図５の車両用シートのシートバックの透視側面図である。図１２は図５の車両用シートのシートバックの正面図である。図１３は図１２のＤ−Ｄ線における断面図である。図１４は図１２のＥ−Ｅ線における断面図である。図１５は図１２のＦ−Ｆ線における断面図である。図１６は図１２のＧ−Ｇ線における断面図である。
【００２６】
図１１に示すように、シートバック３１はメイン部３１Ｍとサイド部３１Ｓとで構成される。メイン部３１Ｍは上部セグメント３１ａ、中央部セグメント３１ｂ、下部セグメント３１ｃおよびサスペンションマット３１ｆで構成され、サイド部３１Ｓは左側のセグメント３１ｄおよび右側のセグメント３１ｅで構成される。上部セグメント３１ａ、中央部セグメント３１ｂおよび下部セグメント３１ｃはそれぞれプラスチック等で形成されるハードパネル３１ａａ，３１ｂａ，３１ｃａを備える。中央部セグメント３１ｂと下部セグメント３１ｃはナイロンで作られた互いに付着するパイル状織物とフック状織物で作られた接着布３１ｇで固定される。上部セグメント３１ａと中央部セグメント３１ｂも同様に固定される。上部セグメント３１ａ、中央部セグメント３１ｂおよび下部セグメント３１ｃはサスペンションマット３１ｆに装着される。
【００２７】
図１２に示すように、シートバックフレーム１３にはヘッドレスト４１を取り付けるためのヘッドレスト取付部１３ｈが固着されている。メイン部３１Ｍの上部セグメント３１ａ、中央部セグメント３１ｂおよび下部セグメント３１ｃはシートバックフレーム１３に取り付けられる。サイド部３１Ｓの左側のセグメント３１ｄおよび右側のセグメント３１ｅはシートバックフレーム１３に取り付けられる。ヘッドレスト４１はシートバックフレーム１３に取り付けられる。
【００２８】
図１３に示すように、シートバックフレーム１３には上部セグメント３１ａのハードパネル３１ａａを取り付けるための補助ブラケット１５ａが固定されており、補助ブラケット１５ａに固着されたナット１５ａａとボルト１５ａｂによってハードパネル３１ａａはシートバックフレーム１３に固定される。メイン部２１Ｍの上部セグメント３１ａはハードパネル３１ａａとウレタンパッド３１ａｂとトリムカバー３１ａｃが一体発泡等で形成されている。
【００２９】
図１４に示すように、ハードパネル３１ａａはプラスチックスタッド１５ｆｂを有し、プラスチックスタッド１５ｆｂとスピードナット１５ｆａによりハードパネル３１ａａはサスペンションマット３１ｆに固定される。プラスチックスタッド１５ｆｂはハードパネル３１ａａと一体的に形成される。ハードパネル３１ｂａはプラスチックスタッド１５ｇｂを有し、プラスチックスタッド１５ｇｂとスピードナット１５ｇａによりハードパネル３１ｂａはサスペンションマット３１ｆに固定される。プラスチックスタッド１５ｇｂはハードパネル３１ｂａと一体的に形成される。メイン部２１Ｍの中央部セグメント３１ｂはハードパネル３１ｂａとウレタンフォーム３１ｂｂとトリムカバー３１ｂｃが一体発泡等で形成されている。
【００３０】
図１５に示すように、シートバックフレーム１３には下部セグメント３１ｃのハードパネル３１ｃａを取り付けるための補助ブラケット１５ｃが固定されており、補助ブラケット１５ｃに固着されたナット１５ｃａとボルト１５ｃｂによってハードパネル３１ｃａはシートバックフレーム１３に固定される。メイン部２１Ｍの下部セグメント３１ｃはハードパネル３１ｃａとウレタンフォーム３１ｃｂとトリムカバー３１ｃｃが一体発泡等で形成されている。
【００３１】
図１６に示すように、サイド部３１Ｓのセグメント３１ｄはプラスチックまたは金属のハードパネル３１ｄａとウレタンパッド３１ｄｂとトリムカバー３１ｄｃで形成されている。シートバックフレーム１３にはハードパネル３１ｂａ，３１ｄａを取り付けるための補助ブラケット１５ｄが固定されており、ナット１５ｄａとスタッド１５ｄｂによってハードパネル３１ｂａ，３１ｄａはシートバックフレーム１３に固定される。
【実施例３】
【００３２】
まず、第三実施例の車両用シートの構造について図１７、１８を用いて説明する。図１７は第三実施例の車両用シートの斜視図である。図１８は図１７の車両用シートのシートフレームの斜視図である。
【００３３】
図１７に示すように第三実施例の車両用シート１は複数のセグメントで構成されるシートクッション２１と複数のセグメントで構成されるシートバック３１とヘッドレスト４１とサイドカバー５１とバックボード６１とを備える。
【００３４】
図１８に示すように、シートフレーム１１はシートクッションフレーム１２とシートバックフレーム１３と左側のサイドカバー５１と右側のサイドカバー５２とシートスライド機構５３とバックル５４を備える。
【００３５】
次に、シートバック側の概要について図１９，２０を用いて説明する。図１９は図１７の車両用シートのシートバックのセグメントの斜視図である。図２０は図１７の車両用シートのシートバックフレームの斜視図である。
【００３６】
図１９に示すように、シートバック３１はメイン部とサイド部の左側のセグメント３１ｄと右側のセグメント３１ｅとを備える。メイン部は上部セグメント３１ａ、中央部セグメント３１ｂおよび下部セグメント３１ｃの分割された三つのセグメントで構成される。シートバック３１にはヘッドレストガイド４２ａ，４２ｂを介してヘッドレスト４１が取り付けられる。
【００３７】
図２０に示すように、シートバックフレーム１３は例えば金属製パイプで形成され、上部ブラケット１３ｄ，１３ｅ、ヘッドレスト取付部１３ｈ，１３ｉ、セグメントフックワイヤ１７ａ，１７ｂ、セグメントスナップワイヤ１７ｃ、セグメント補助ブラケット１７ｄ、１７ｅ、１７ｆ、１７ｇ、１７ｈおよびサイド部補助ワイヤ１７ｊ、１７ｋが固着されている。上部ブラケット１３ｄ，１３ｅはシートクッションフレーム１２と接続される下部ブラケット１３ｇ，１３ｆに取り付けられている。なお、上部ブラケット１３ｅの裏にも図示しないセグメント補助ブラケット１７ｉが取り付けられている。
【００３８】
セグメントフックワイヤ１７ａ，１７ｂはそれぞれ中央部セグメント３１ｂ，下部セグメント３１ｃを取り付けるためのものであり、セグメントスナップワイヤ１７ｃは下部セグメント３１ｃを取り付けるためのものである。セグメント補助ブラケット１７ｄは右側のセグメント３１ｅを取り付けるためのものであり、セグメント補助ブラケット１７ｆは右側のセグメント３１ｅおよび上部セグメント３１ａを取り付けるためのものであり、セグメント補助ブラケット１７ｈは右のセグメント３１ｅおよび中央部セグメント３１ｂを取り付けるためのものである。セグメント補助ブラケット１７ｅは左側のセグメント３１ｄを取り付けるためのものであり、セグメント補助ブラケット１７ｇは左側のセグメント３１ｄおよび上部セグメント３１ａを取り付けるためのものであり、セグメント補助ブラケット１７ｈは左側のセグメント３１ｄおよび中央部セグメント３１ｂを取り付けるためのものである。
【００３９】
次に、シートバックのサイド部について図２１Ａ、２１Ｂ、２２Ａ、２２Ｂ、２２Ｃを用いて説明する。図２１Ａは図１７の車両用シートのシートバックのサイド部の右側のセグメントの斜視図である。図２１Ｂは図２１Ａの右側のセグメントのハードパネルの斜視図である。図２２Ａは右側の補助ブラケットと右側のセグメントとの固定を説明する図である。図２２Ｂは右側の補助ブラケットと右側のセグメントと上部セグメントの固定を説明する図である。図２２Ｃは右側の補助ブラケットと右側のセグメントと中央部セグメントの固定を説明する図である。
【００４０】
図２１Ａに示すように、右側のセグメント３１ｅはプラスチックで形成されたハードパネル３１ｅａとフォーム部３１ｅｄで構成されている。フォーム部３１ｅｄはハードパネル３１ｅａの上にフォームを注いで形成されている。フォーム部３１ｅｄはウレタンフォームとトリムカバーで形成されたものをハードパネルに取り付けて形成してもよい。図２１Ｂに示すように、ハードパネル３１ｅａはその本体と一体的に形成された取付部３１ｅａａ，３１ｅａｂ，３１ｅａｃを有する。図２２Ａに示すように、取付部３１ｅａａはセグメント補助ブラケット１７ｄに固着されたナット１７ｄａとボルト１７ｄｂによってシートバックフレーム１３に固定される。また、図２２Ｂに示すように、取付部３１ｅａｂはセグメント補助ブラケット１７ｆに固着されたナット１７ｆａとボルト１７ｆｂによってシートバックフレーム１３に固定される。また、図２２Ｃに示すように、取付部３１ｅａｃはセグメント補助ブラケット１７ｈに固着されたナット１７ｈａとボルト１７ｈｂによってシートバックフレーム１３に固定される。左側のセグメント３１ｄは右側のセグメント３１ｅと同様な構造であり、右側のセグメント３１ｅと同様にシートバックフレーム１３に固定される。
【００４１】
次に、シートバックの上部セグメントについて図２２Ｂ、２３Ａ、２３Ｂ、２３Ｃを用いて説明する。図２３Ａはシートバックの上部セグメントの前方側の斜視図である。図２３Ｂはシートバックの上部セグメントの後方側の斜視図である。図２３Ｃはシートバックの上部セグメントのハードパネルの後方側の斜視図である。
【００４２】
図２３Ａ、２３Ｂに示すように、上部セグメント３１ａはプラスチックで形成されたハードパネル３１ａａとフォーム部３１ａｄで構成されている。フォーム部３１ａｄはフォーム部３１ｅｄと同様に形成されている。図２３Ｃに示すように、ハードパネル３１ａａはその本体と一体的に形成された取付部３１ａａａ，３１ａａｂおよびフック部３１ａａｃ，３１ａａｄ，３１ａａｅを有する。フック部３１ａａｃ，３１ａａｄ，３１ａａｅはシートバックフレーム１３の上部に係止され、図２２Ｂに示すように、取付部３１ａａａはセグメント補助ブラケット１７ｆに固着されたナット１７ｆａとボルト１７ｆｂによって取付部３１ｅａｂと共にシートバックフレーム１３に固定される。取付部３１ａａｂは取付部３１ａａａと同様にシートバックフレーム１３に固定される。
【００４３】
次に、シートバックの中央部セグメントについて図２２Ｃ、２４Ａ、２４Ｂを用いて説明する。図２４Ａはシートバックの中央部セグメントの前方側の斜視図である。図２４Ｂはシートバックの中央部セグメントの後方側の斜視図である。
【００４４】
図２４Ａに示すように、中央部セグメント３１ｂはプラスチックで形成されたハードパネル３１ｂａとフォーム部３１ｂｄで構成されている。フォーム部３１ｂｄはフォーム部３１ａｄと同様に形成されている。図２４Ｂに示すように、ハードパネル３１ｂａはその本体と一体的に形成された取付部３１ｂａａ，３１ｂａｂおよびフック部３１ｂａｃを有する。フック部３１ｂａｃはセグメントフックワイヤ１７ａに係止され、図２２Ｃに示すように、取付部３１ｂａａはセグメント補助ブラケット１７ｈに固着されたナット１７ｈａとボルト１７ｈｂによって取付部３１ｅａｃと共にシートバックフレーム１３に固定される。取付部３１ｂａｂは取付部３１ｂａａと同様にシートバックフレーム１３に固定される。
【００４５】
次に、シートバックの下部セグメントについて図２５Ａ、２５Ｂ、２６を用いて説明する。図２５Ａはシートバックの下部セグメントの前方側の斜視図である。図２５Ｂはシートバックの下部セグメントの後方側の斜視図である。図２６は下部セグメントのシートバックフレームへの取付けを説明する図である。
【００４６】
図２５Ａに示すように、下部セグメント３１ｃはプラスチックで形成されたハードパネル３１ｃａとフォーム部３１ｃｄで構成されている。フォーム部３１ｃｄはフォーム部３１ａｄと同様に形成されている。図２５Ｂに示すように、ハードパネル３１ｃａはその本体と一体的に形成されたフック部３１ｃａａおよびスナップ部３１ｃａｂを有する。図２６に示すように、フック部３１ｃａａはセグメントフックワイヤ１７ｂに係止され、スナップ部３１ｃａｂはセグメントスナップワイヤ１７ｃに固定される。
【００４７】
なお、シートバック３１の背面側にはバックボード６１が取り付けられる。
【００４８】
次に、シートクッション側の概要について図２７、２８を用いて説明する。図２７は図１７の車両用シートのシートクッションのセグメントの斜視図である。図２８は図１７の車両用シートのシートクッションフレームの斜視図である。
【００４９】
図２７に示すように、シートクッション２１はメイン部とサイド部の左側のセグメント２１ｄと右側のセグメント２１ｅとを備える。メイン部は後部セグメント２１ａ、中央部セグメント２１ｂおよび前部セグメント２１ｃの分割された三つのセグメントで分割されて構成される。
【００５０】
図２８に示すように、シートクッションフレーム１２は例えば金属製パイプで形成され、金属製パン１２ａ、セグメント補助ワイヤ１２ｂ、セグメント補助ブラケット１６ａ、１６ｂ、１６ｄおよびサイド部補助ワイヤ１６ｆ、１６ｇが固着されている。なお、サイドカバー５１に隠れて見えないセグメント補助ブラケット１６ｃ（図３０Ｃ参照）、１６ｅ（不図示）がシートクッションフレーム１２に固着されている。
【００５１】
金属製パン１２ａには孔１２ａａ，１２ａｂ，１２ａｃ，１２ａｄ，１２ａｅ，１２ａｄ，１２ａｅ，１２ａｆ，１２ａｇが設けられている。孔１２ａａ，１２ａｂ，１２ａｃは後部セグメント２１ａを取り付けるためのものであり、孔１２ａｄ，１２ａｅは中央部セグメント２１ｂを取り付けるためのものであり、孔１２ａｆ，１２ａｇは前部セグメント２１ｃを取り付けるためのものである。
【００５２】
次に、シートクッションのサイド部について図２９Ａ、２９Ｂ、３０Ａ、３０Ｂ、３０Ｃを用いて説明する。図２９Ａは図１７の車両用シートのシートクッションのサイド部の右側のセグメントのハードパネルの斜視図である。図２９Ｂは図１７の車両用シートのシートクッションのサイド部の左側のセグメントのハードパネルの斜視図である。図３０Ａは右側の補助ブラケットと右側のセグメントとの固定を説明する図である。図３０Ｂは右側の補助ブラケットと右側のセグメントと上部セグメントの固定を説明する図である。図３０Ｃは左側の補助ブラケットと左側のセグメントとの固定を説明する図である。
【００５３】
右側のセグメント２１ｅはプラスチックで形成されたハードパネル２１ｅａとフォーム部２１ｅｄで構成されている。図２９Ａに示すように、ハードパネル２１ｅａはその本体と一体的に形成された取付部２１ｅａａ，２１ｅａｂを有する。図３０Ａに示すように、取付部２１ｅａａはセグメント補助ブラケット１６ａに固着されたナット１６ａａとボルト１６ａｂによってシートクッションフレーム１２に固定される。また、図３０Ｂに示すように、取付部２１ｅａｂはセグメント補助ブラケット１６ｂに固着されたナット１６ｂａとボルト１６ｂｂによってシートクッションフレーム１２に固定される。
【００５４】
左側のセグメント２１ｄはプラスチックで形成されたハードパネル２１ｄａとフォーム部２１ｄｄで構成されている。図２９Ｂに示すように、ハードパネル２１ｄａは取付部２１ｄａａ，２１ｄａｂ，２１ｄａｃを有する。取付部２１ｄａａは、取付部２１ｅａａと同様に、セグメント補助ブラケット１６ｂに固着されたナット（不図示）とボルト（不図示）によってシートクッションフレーム１２に固定される。取付部２１ｄａｂは、取付部２１ｅａｂと同様に、セグメント補助ブラケット１６ｅに固着されたナット（不図示）とボルト（不図示）によってシートクッションフレーム１２に固定される。図３０Ｃに示すように、取付部２１ｄａｃは、セグメント補助ブラケット１６ｃに固着されたナット１６ｃａとボルト１６ｃｂによってシートクッションフレーム１２に固定される。
【００５５】
次に、シートクッションの後部セグメントについて図３１Ａ、３１Ｂ、３２を用いて説明する。図３１Ａはシートクッションの後部セグメントの前方側の斜視図である。図３１Ｂはクッションの後部セグメントの後方側の斜視図である。図３２は後部セグメントのシートクッションフレームへの取付けを説明する図である。
【００５６】
図３１Ａに示すように、後部セグメント２１ａはプラスチックで形成されたハードパネル２１ａａとフォーム部２１ａｄで構成されている。フォーム部２１ａｄはフォーム部３１ａｄと同様に形成されている。図３１Ｂに示すように、ハードパネル２１ａａはその本体と一体的に形成されたフック部２１ａａａ，２１ａａｂ，２１ａａｃ，２１ａａｄを有する。図３２に示すように、フック部２１ａａａ，２１ａａｂ，２１ａａｃは金属製パン１２ａの孔１２ａａ，１２ａｂ，１２ａｃに係止され、フック部２１ａａｄはセグメント補助ワイヤ１２ｂに係止され、シートクッションフレーム１２に固定される。
【００５７】
次に、シートクッションの中央部セグメントについて図３３Ａ、３３Ｂ、３４、３５を用いて説明する。図３３Ａはシートクッションの中央部セグメントの前方側の斜視図である。図３３Ｂはシートクッションの中央部セグメントの後方側の斜視図である。図３４は中央部セグメントのシートクッションフレームへの取付けを説明する図である。図３５は中央部セグメントと金属製パンの締結を説明する図である。
【００５８】
図３３Ａに示すように、中央部セグメント３１ｂはプラスチックで形成されたハードパネル２１ｂａとフォーム部２１ｂｄ，２１ｂｅで構成されている。フォーム部２１ｂｄ，２１ｂｅはフォーム部３１ａｄと同様に形成されている。その表層部に乗心地性能の調整用としてフォーム部２１ｂｅがフォーム部２１ｂｄの上に貼り付けられている。フォーム部２１ｂｅはトッパーパッドと呼ばれる低硬度の別物パッドであり、ソフトな感触にする際用いられる。また、硬めの乗心地にしたい場合はフォーム部２１ｂｅをフォーム部２１ｂｄに貼らず通常硬度のフォーム部２１ｂｄだけで該当セグメント形状を作るか、更にはチップウレタンや発泡スチロールのような物をパッド内に内蔵し硬度を上げるようにしてもよい。図３３Ｂに示すように、ハードパネル２１ｂａはその本体と一体的に形成された取付部２１ｂａａ，２１ｂａｂ，２１ｂａｃおよびフック部２１ｂａｄ，２１ｂａｅを有する。図３４に示すように、フック部２１ｂａｄ，２１ｂａｅは金属製パン１２ａの孔１２ａｄ，１２ａｅに係止され、図３５に示すように、取付部２１ｂａａは金属製パン１２ａに固着されたナット１２ａｊとボルト１２ａｋによってシートクッションフレーム１２に固定される。取付部２１ｂａｂ，２１ｂａｃは取付部２１ｂａａと同様にシートクッションフレーム１２に固定される。
【００５９】
次に、シートクッションの前部セグメントについて図３６Ａ、３６Ｂ、３７を用いて説明する。図３６Ａはシートクッションの前部セグメントの前方側の斜視図である。図３６Ｂはシートクッションの前部セグメントのハードパネルの後方側の斜視図である。図３７は前部セグメントのシートクッションフレームへの取付けを説明する図である。
【００６０】
図３６Ａに示すように、前部セグメント２１ｃはプラスチックで形成されたハードパネル２１ｃａとフォーム部２１ｃｄで構成されている。フォーム部２１ｃｄはフォーム部３１ａｄと同様に形成されている。図３６Ｂに示すように、ハードパネル２１ｃａはその本体と一体的に形成されたスナップ部２１ｃａａ，２１ｃａｂおよびフック部２１ｃａｃを有する。図３７に示すように、フック部２１ｃａｃはシートクッションフレーム１２に係止され、スナップ部２１ｃａａ，２１ｃａｂは金属製パン１２ａの孔１２ａｅ，１２ａｇに係止され、シートクッションフレーム１２に固定される。
【００６１】
上部セグメント３１ａ、中央部セグメント３１ｂ、下部セグメント３１ｃ、左側のセグメント３１ｄおよび右側のセグメント３１ｅの各セグメントの間はパイル状織物とフック状織物で互いに付着するナイロン製の接着布で固定される。また、後部セグメント２１ａ、中央部セグメント２１ｂ、前部セグメント２１ｃ、左側のセグメント２１ｄおよび右側のセグメント２１ｅの各セグメントの間はパイル状織物とフック状織物で互いに付着するナイロン製の接着布で固定される。なお、実施例２と同様にこれらのセグメントはナイロン製の接着布で固定しなくてもよい。
【００６２】
次に、チャイルドブースタシートについて、図３８、３９を用いて説明する。図３８はチャイルドブースタセグメントの斜視図である。図３９はチャイルドブースタセグメントを組み込んだ車両用シートの斜視図である。
【００６３】
図３８に示すように、チャイルドブースタセグメント２１ｈはプラスチックで形成されたハードパネル２１ｈａとフォーム部２１ｈｄで構成されている。ハードパネル２１ｈａは中央部セグメント２１ｂのハードパネル２１ｂａと同様な大きさと形状であり、取付部２１ｂａａ，２１ｂａｂ，２１ｂａｃと同様な取付部２１ｈａａ，２１ｈａｂ，２１ｈａｃおよびフック部２１ｂａｄ，２１ｂａｅと同様なフック部を有する。よって、チャイルドブースタセグメント２１ｆは中央部セグメント２１ｂに代えて取り付けることができ、図３９に示すように、チャイルドブースタセグメント２１ｈをシートクッション２１に組み込むことができる。
【００６４】
実施例によれば、各セグメントは交換可能であるので、外側のサイド部等の高摩耗部分のセグメントのみを安価・かつ簡単に取り換えることも可能である。また、セグメントの取外しおよび取付け（交換）は容易である。また、各セグメントの形状（チャイルドブースター含む）、硬度、表皮材種類等の構成は変更可能であり、セグメントを交換したり、セグメントの組合せを変更したりしてユーザの好みに合わせて乗心地やデザインを選択することができる。
【００６５】
以上、本発明者によってなされた発明を実施例に基づき具体的に説明したが、本発明は、上記実施例に限定されるものではなく、種々変更可能であることはいうまでもない。
【符号の説明】
【００６６】
１・・・車両用シート
１２・・・シートクッションフレーム
１３・・・シートバックフレーム
２１Ｍ・・・メイン部（シートクッションメイン部）
２１Ｓ・・・サイド部（シートクッションサイド部）
３１Ｍ・・・メイン部（シートバックメイン部）
３１Ｓ・・・サイド部（シートバックサイド部）
【図１】
2020033005.tif 000003
【図２】
2020033005.tif 000004
【図３】
2020033005.tif 000005
【図４】
2020033005.tif 000006
【図５】
2020033005.tif 000007
【図６】
2020033005.tif 000008
【図７】
2020033005.tif 000009
【図８】
2020033005.tif 000010
【図９】
2020033005.tif 000011
【図１０】
2020033005.tif 000012
【図１１】
2020033005.tif 000013
【図１２】
2020033005.tif 000014
【図１３】
2020033005.tif 000015
【図１４】
2020033005.tif 000016
【図１５】
2020033005.tif 000017
【図１６】
2020033005.tif 000018
【図１７】
2020033005.tif 000019
【図１８】
2020033005.tif 000020
【図１９】
2020033005.tif 000021
【図２０】
2020033005.tif 000022
【図２１Ａ】
2020033005.tif 000023
【図２１Ｂ】
2020033005.tif 000024
【図２２Ａ】
2020033005.tif 000025
【図２２Ｂ】
2020033005.tif 000026
【図２２Ｃ】
2020033005.tif 000027
【図２３Ａ】
2020033005.tif 000028
【図２３Ｂ】
2020033005.tif 000029
【図２３Ｃ】
2020033005.tif 000030
【図２４Ａ】
2020033005.tif 000031
【図２４Ｂ】
2020033005.tif 000032
【図２５Ａ】
2020033005.tif 000033
【図２５Ｂ】
2020033005.tif 000034
【図２６】
2020033005.tif 000035
【図２７】
2020033005.tif 000036
【図２８】
2020033005.tif 000037
【図２９Ａ】
2020033005.tif 000038
【図２９Ｂ】
2020033005.tif 000039
【図３０Ａ】
2020033005.tif 000040
【図３０Ｂ】
2020033005.tif 000041
【図３０Ｃ】
2020033005.tif 000042
【図３１Ａ】
2020033005.tif 000043
【図３１Ｂ】
2020033005.tif 000044
【図３２】
2020033005.tif 000045
【図３３Ａ】
2020033005.tif 000046
【図３３Ｂ】
2020033005.tif 000047
【図３４】
2020033005.tif 000048
【図３５】
2020033005.tif 000049
【図３６Ａ】
2020033005.tif 000050
【図３６Ｂ】
2020033005.tif 000051
【図３７】
2020033005.tif 000052
【図３８】
2020033005.tif 000053
【図３９】
2020033005.tif 000054